(57)【要約】【課題】前面枠の開閉をスムーズにすると共に前面枠を開放するだけで球詰りの要因となる球タンク等を露呈させ、球詰りの解消作業を行うことができるパチンコ遊技機を提供する。【解決手段】遊技盤５が装着される前面枠２を方形枠状の機枠１の一側にヒンジ具３を介して枢支し、遊技球が貯留される球タンク３４及び該球タンク３４の遊技球を払出す球払出装置２８を機構板２７の前面に取付けると共に該機構板２７を前記機枠１の内側に取着し、前記前面枠２を閉鎖したときに該前面枠２の後面と前記球タンク３４の前面壁３４ｂとが相対し、前記前面枠２を開放したときに前記球タンク３４及び球払出装置２８が前記機枠１内に位置したままで前面に露呈するようにした。【選択図】図３
2006043290.tif 000002
【特許請求の範囲】
【請求項１】
遊技盤が装着される前面枠を方形枠状の機枠の一側にヒンジ具を介して枢支し、遊技球が貯留される球タンク及び該球タンクの遊技球を払出す球払出装置を機構板の前面に固着すると共に該機構板を前記機枠の内側に取着し、前記前面枠を閉鎖したときに該前面枠の後面と前記球タンクの前面壁とが相対し、前記前面枠を開放したときに前記球タンク及び球払出装置が前記機枠内に位置したままで前面に露呈するようにしたことを特徴とするパチンコ遊技機。
【請求項２】
前記遊技盤に打ち込まれた遊技球を回収する球集合樋及び前記球払出装置から払出された遊技球を前記前面枠の前面の球受皿に導く球排出樋が設けられる樋基板を該球排出樋が前記球払出装置と連通するように前記機枠に開閉自在に取付けたことを特徴とする請求項１記載のパチンコ遊技機。
【請求項３】
前記樋基板の後面側であり前記機構板の前面に電気機器を制御する回路基板を設けたことを特徴とする請求項２記載のパチンコ遊技機。
【請求項４】
前記遊技盤に設けられる電気部品の配線を前記前面枠のヒンジ側で収束すると共にコネクタを介して前記機構板側に設けられる配線に接続したことを特徴とする請求項１乃至３のいずれかに記載のパチンコ遊技機。
【発明の詳細な説明】
【技術分野】
【０００１】
本発明は、球タンク及び球タンクの遊技球を払出す球払出装置を備えたパチンコ遊技機に関するものである。
【背景技術】
【０００２】
従来パチンコ機は、機枠に前面枠がヒンジにより開閉自在に枢支され、前面枠の裏面に遊技球を貯留する球タンク及び該球タンクの遊技球を払出す球払出装置が取付けられる機構板が開閉自在に設けられている。このため、前面枠は球タンクに貯留された遊技球の荷重により重量が大きく、前面枠を機枠から開放するとその重量により下傾してしまい、ヒンジに負荷がかかり前面枠の開閉動作に支障をきたしていた。そこで、この問題を解決するために、球タンクを設けた機構板を機枠側に装着し、前面枠の重量を軽減しヒンジにかかる負荷を小さくするようにしたパチンコ機が知られている（例えば、特許文献１参照。）。
【特許文献１】特開２００２−２００２９１号公報
【発明の開示】
【発明が解決しようとする課題】
【０００３】
しかしながら、特許文献１のパチンコ機は、機枠側に機構板が設けられているものの、球タンク及び球払出装置が機構板の裏面側に設けられているため、球タンク等で球詰りが発生したり球払出装置が故障したりした場合には、前面枠を開放した後にさらに機構板を機枠から開放させなければ球詰り又は故障の要因となった球タンク及び球払出装置を露呈させることができません。そのため、球タンクの球詰りを解消したり球払出装置を交換したりするのに手間がかかり煩わしいものとなっていた。
【０００４】
そこで、本発明は、上記課題を解決するためになされたもので、前面枠の開閉をスムーズにすると共に前面枠を開放したときに球詰りの要因となる球タンク，球払出装置等を前面に露呈させ、球詰りの解消及び球払出装置の交換作業を簡単に行うことができるパチンコ遊技機を提供しようとするものである。
【課題を解決するための手段】
【０００５】
上記課題を解決するために、請求項１記載の発明は、遊技盤が装着される前面枠を方形枠状の機枠の一側にヒンジ具を介して枢支し、遊技球が貯留される球タンク及び該球タンクの遊技球を払出す球払出装置を機構板の前面に固着すると共に該機構板を前記機枠の内側に取着し、前記前面枠を閉鎖したときに該前面枠の後面と前記球タンクの前面壁とが相対し、前記前面枠を開放したときに前記球タンク及び球払出装置が前記機枠内に位置したままで前面に露呈するようにしたことを特徴とする。
【０００６】
請求項２記載の発明は、請求項１記載の発明において、前記遊技盤に打ち込まれた遊技球を回収する球集合樋及び前記球払出装置から払出された遊技球を前記前面枠の前面の球受皿に導く球排出樋が設けられる樋基板を該球排出樋が前記機構板に設けられた球払出装置と連通するように前記機枠に開閉自在に取付けたことを特徴とする。
【０００７】
請求項３記載の発明は、請求項２記載の発明において、前記樋基板の後面側であり前記機構板の前面に電気機器を制御する回路基板を設けたことを特徴とする。
【０００８】
請求項４記載の発明は、請求項１乃至３のいずれかに記載の発明において、前記遊技盤に設けられる電気部品の配線を前記前面枠のヒンジ側で収束すると共にコネクタを介して前記機構板側に設けられる配線に接続したことを特徴とする。
【０００９】
前記球タンクをアウト球排出口より下方に位置して設け、入賞口及びアウト球排出口に流入した遊技球を前記球タンクに直接回収するようにして、球タンクに貯留された遊技球を球払出装置により賞球又は貸球として球受皿に払出すようにするのがよい。このとき、球タンクには所定量の遊技球が貯留されるように遊技球の補給手段と排出手段を設けるのが好ましい。前記排出手段は前記球タンクに余剰球が流出する溢出口を開設すると共に該溢出口から流出する余剰球を機外に導く排出樋を設けるのがよく、溢出口は球タンクの上流側に位置して設けるのが好ましい。
【００１０】
前記機構板は遊技盤と所定間隔を隔てた収容空間を形成するように後方に膨出した箱状に形成して、収容空間に前記球タンク及び球払出装置を設けるのが好ましい。
【発明の効果】
【００１１】
本発明によれば、球荷重が大きく前面枠の開閉に負荷のかかる球タンクを機枠側に設けると共に、機構板の前面側に球タンク，球払出装置等を設けるようにしたので、前面枠の開閉をスムーズにすると共に前面枠を開放するだけで球タンク及び球払出装置が露呈し球詰りの解消作業及び球払出装置の交換作業をすばやく行うことができる。
【実施例１】
【００１２】
次に、本発明のパチンコ遊技機を、パチンコ機を一実施例として図面を参照して説明する。パチンコ機は、図１及び図２に示すように方形枠状に形成された機枠１の前面一側に前面枠２がヒンジ具３により開閉自在に装着され、前面枠２の裏面側に設けられる遊技盤取付枠４を介して遊技盤５が着脱自在に取着されている。前面枠２の前面に透明板扉枠６が遊技盤５を視認し得るように開閉自在に設けられる。さらに、透明板扉枠６の下方には、遊技球を整列して発射装置１３に供給する機能を備えた上部球受皿７及び該上部球受皿７の余剰球を貯留する機能を備えた下部球受皿８が設けられている。そして、下部球受皿８の側方に遊技球の打力を調整する操作ハンドル１０が設けられている。なお、上部球受皿７と下部球受皿８とを個々に設けることなく、それぞれの機能を備えた１つの球受皿を設けるようにしてもよい。
【００１３】
前記遊技盤取付枠４は、図３に示すように前後に開放し、遊技盤５の下端を支持する下部側枠４ａと、遊技盤５の上部及び側方を支持する上部側枠４ｂ及び左右側枠４ｃ，４ｄとにより、遊技盤５が後面側から取付けられる遊技盤設置領域１１が形成されている。そして、遊技盤取付枠４の遊技盤設置領域１１の前面周縁には遊技盤５の前面を支持する帯状の支持片１２が設けられ、左右側枠４ｃ，４ｄの後面上下には遊技盤固定具１４が回動操作自在に設けられている。また、遊技盤固定具１４は、回動軸筒部の一側に遊技盤押え部１４ａを突出形成すると共に操作部１４ｂを形成している。
【００１４】
前記遊技盤５は、図３に示すように所定の厚さを有してほぼ方形状に形成され、前面に遊技球を案内するガイドレール１６により遊技領域５ａがほぼ円形に形成され、その遊技領域５ａのほぼ中央に中央役物としての可変表示装置１７が設けられる。そして、その周囲には入賞口として一般入賞口１８や可変表示装置１７の図柄を変動させるチューリップタイプの始動入賞口１９、また可変表示装置１７の表示が予め設定された図柄の組合せに停止することにより開放する大入賞口２０等が設けられ、遊技領域５ａの適宜個所に遊技球の流下方向を変化させる障害釘２１及び風車２２を配設している。また、遊技領域５ａの最下端には、一般入賞口１８，始動入賞口１９，大入賞口２０に入賞しなかったすべての遊技球をアウト球として回収するアウト球排出口２３が開設されている。なお、一般入賞口１８，始動入賞口１９，大入賞口２０には、それぞれ入賞球を検知する検知センサ１８ａ，１９ａ，２０ａが設けられ、検知センサ１８ａ，１９ａ，２０ａにより入賞球が検知されると、後述する球払出装置２８によって所定個数の賞球が払出される。
【００１５】
また、遊技盤５の裏面には前記した可変表示装置１７の後面が突出し、一般入賞口１８，始動入賞口１９，大入賞口２０に対応する貫通孔が開設されている。そして、扁平箱枠状の誘導経路としての誘導樋部材２４が遊技盤５の裏面を覆うように設けられ、一般入賞口１８，始動入賞口１９，大入賞口２０に入賞した入賞球を後述する球集合樋５７に導くようにしている。
【００１６】
遊技盤５の取付けは、遊技盤固定具１４の押え部１４ａを遊技盤５と干渉しない位置に回動移動させた状態で、前面枠２の後方から遊技盤取付枠４の遊技盤設置領域１１に臨ませて、遊技盤５の前面縁を支持片１２に当接させて位置決めし、操作部１４ｂを操作して遊技盤固定具１４を回動させて遊技盤５の後面を押え部１４ａで係止することで遊技盤取付枠４に装着することができる。また、遊技盤５に設けられる電気部品の配線Ｈは前面枠２の軸支側に収束され先端にコネクタ２６を設けて、後述する機構板２７側の配線Ｈに接続される。
【００１７】
また、前記前面枠２の裏面側に位置して、機構板２７が機枠１の内側に着脱自在に装着されている。機構板２７は、図４及び図５に示すように前面が開口し後方に膨出した箱状に形成され、上面が開放し所定の奥行を有する左右側壁２７ａ，２７ｂと全体がほぼ平坦面に形成された後側壁２７ｃとにより平面コ字状をなしており、下側壁２７ｄには前面開口縁に沿って所定幅の切欠き２９が形成されている。また、左右側壁２７ａ，２７ｂの端部に沿って後側壁２７ｃと平行なフランジ状の取付片３０が設けられ、この取付片３０に係止具３１が設けられる。係止具３１は押圧部材３１ａと該押圧部材３１ａの押圧により拡開する係止突起３１ｂとにより構成されている。そして、係止具３１の係止突起３１ｂを機枠１の内側に設けられた固定具３２の透孔状の係止部３２ａに前面側から挿通し、押圧部材３１ａを押圧することにより係止突起３１ｂが拡開し、係止部３２ａに係止して機構板２７が機枠１に着脱自在に固定される。また、前面枠２の閉鎖状態で機構板２７の後側壁２７ｃ内面と遊技盤５との間に所定間隔を隔てた収容空間３３が形成される。この収容空間３３内に位置して、機構板２７には上方開放端に臨んで設置島の補給経路から補給される遊技球を貯留する球タンク３４が取着され、その下方には球タンク３４の遊技球を整列する球誘導樋３５が設けられ、さらにその下流端に球タンク３４の遊技球を貸球又は賞球として上部球受皿７に払出す球払出装置２８が接続される。また、球タンク３４の側方（正面視して左方）には電源ターミナル３６が設けられ、機構板２７の下方内面には、発射装置１３等の電気的部品を制御する回路基板，遊技内容を制御する回路基板を収納した基板ボックス３７，３８が取着される。そして、基板ボックス３７，３８等に接続される機構板２７側の配線Ｈは前面枠２の軸支側に収束されコネクタ２６を介して前面枠２及び遊技盤５側の配線Ｈと接続される。
【００１８】
球タンク３４は、上方が開放したほぼ矩形状の箱型に形成され、底部３４ｃ下流端であり機構板２７に当接する後面壁３４ａの内側際に沿って遊技球を球誘導樋３５に流出する球導出口３９が形成されている。そして、球タンク３４の両側には取着片４０，４０が設けられ、機構板２７の内面に突設された取付ボス４１に取着片４０をビス着することで球タンク３４が機構板２７の前面に固着される。また、球誘導樋３５は直線誘導樋３５ａと屈曲誘導樋３５ｂとで構成され、球導出口３９から流出する遊技球を整列する２条の通路部４２を有して形成され、機構板２７の前面に球タンク３４と同様にボス４１にビス着して取付けられる。このため、球誘導樋３５は遊技盤５と隔離した状態で取付けられることになり、球誘導樋３５の前側壁と遊技盤５との間は役物等の収容空間とすることができる。
【００１９】
前記球払出装置２８は、図６に示すようにケース体４３とモータ４４とモータ軸に固着されるスクリュー体４５とにより構成され、ケース体４３には前記球誘導樋３５の２条の通路部４２に連通する球通路４６と、スクリュー体４５の回転により遊技球が払出される払出通路４７が形成されている。このように構成される球払出装置２８は、機構板２７の前面に突設される取付ボス４１にケース体４３を螺着することで取着される。なお、球払出装置２８はこの実施例で示したスクリュータイプに限定されるものではなく、スプロケットタイプのものであっても遊技球の自由落下をソレノイド等で制御するものであってもよい。
【００２０】
また、球タンク３４，球誘導樋３５，球払出装置２８等の裏機構部品の取付けをビス着としたが、取着手段は何ら限定されるものではなく、機構板２７又は機構板２７に取付ける裏機構部品のいずれかに差込片，係止片等を設け、他方に差込片，係止片が係合する差込部，係止部を設けて互いに嵌合又は係止して球タンク３４等の裏機構部品を取着するようにしてもよい。さらに、裏機構部品は別途設けた係止部材により取着するようにしてもよい。例えばこの係止部材４８は、図７に示すように機構板２７に係止する第一係止部４９と球タンク３４等の取着片４０を係止する第二係止部５０とを有し、第一係止部４９は下向きコ字型に形成され、第二係止部５０は弾性を付与して先端に係止爪５０ａを有して形成される。一方、機構板２７には第一係止部４９が係合する透孔５１が穿設され、段状の取着受部５２が突設されている。そして、球タンク３４の取付けは、球タンク３４の取着片４０を取着段部５２の段部に載置し、係止部材４８の第一係止部４９を機構板２７の透孔５１に挿通して下方に押し下げ係止部材４８を機構板２７に固定すると共に、第二係止部５０を取着受部５２を覆うようにして該取着受部５２の下辺に係止することで、球タンク３４の取着片４０が固定され球タンク３４が機構板２７に取着される。この実施例において、球タンク３４だけでなく他の裏機構部品の取付けを全てこの係止部材４８で取付けるように共有化することで、係止部材４８を量産化して製造コストを低減化でき、裏機構部品の取付け作業の効率を高めることができる。
【００２１】
また、球払出装置２８から払出された遊技球を前記上部球受皿７に球流出口５３を介して導くと共に、余剰球を下部球受皿８に導く球排出樋５４及び入賞球及びアウト球を集合して機外に排出する球集合樋５７が設けられる樋基板５５を機構板２７と別途形成している。樋基板５５は、全体形状を正面視してＬ字状に形成して下方後面をほぼ平坦面として、球排出樋５４の上方を僅かに後方に屈曲している。そして、樋基板５５を正面視して左方を上下一対のヒンジ５６により機枠１の内側に軸支し、前面側に開放し得るように着脱自在に設けられ、樋基板５５の開放端は、機構板２７の固定と同様に機枠１の内側に設けた固定具３２に係止具３１を係止して固定される。このとき、機構板２７の球払出装置２８と樋基板５５の球排出樋５４とが連通し、樋基板５５の下流端は機構板２７の下側壁２７ｄの切欠き２９に臨むように機枠１に取付けられ、機構板２７の下方に設けられた基板ボックス３７，３８は、樋基板５５の後方に位置している。そして、機枠１の内側に機構板２７と樋基板５５が装着された状態で、前面枠２を閉鎖すると、球タンク３４の前面壁３４ｂが遊技盤５とほぼ接触し得るように相対位置し、球タンク３４が前面側に撓んでも遊技盤５により支持されることになる。このとき、球タンク３４の前面壁３４ｂ全体を遊技盤５に当接させることなく、球タンク３４の前面壁３４ｂ側にリブ壁を設け、該リブ壁が遊技盤５に当接するようにしてもよく、リブ壁により球タンク３４が補強され球タンク３４の撓みを防止することもできる。また、樋基板５５は、遊技盤５から流出する入賞球及びアウト球を直接受け入れ、且つ球払出装置２８から払出される遊技球を上部球受皿７に直接導く位置に取付けられている。なお、樋基板５５に球タンク３４の遊技球を機外に排出する球抜き樋を設けるようにしてもよい。
【００２２】
このように構成されるパチンコ機は、機枠１の内側に取着した機構板２７の前面に球タンク３４，球誘導樋３５，球払出装置２８が設けられているため、例えばホールの営業中に球タンク３４，球誘導樋３５で球詰り等が発生し、点検のために前面枠２を開放すると、図３に示すように球詰りの要因となる球タンク３４，球誘導樋３５，球払出装置２８が機枠１内に位置したままで前面に露呈するため、球詰りの点検解除作業をすぐに行うことができる。このとき、図３に示すように遊技盤５側の配線Ｈが前面枠２の軸支側に収束されて機構板２７側の配線Ｈとコネクタ２６を介して接続されているため、前面枠２は何の支障もなく開放することができる。また、回路基板を検査する場合には、前面枠２を開放して樋基板５５の係止具３１を解除することにより樋基板５５が前面側に開放され、機構板２７の前面に設けられた基板ボックス３７，３８が機枠１内に位置したままで前面に露呈するため、回路基板を検査することが可能となる。さらに、本願は機構板２７を機枠１の内側に設け、遊技盤５の配線Ｈを前面枠２の軸支側に収束して、機構板２７側の配線Ｈと接続するようにしたことで遊技盤５の交換作業を容易とすることができる。つまり、図３に示すように前面枠２を開放するだけで遊技盤５が露呈するため、機構板２７側の配線Ｈと接続されている軸支側の配線Ｈを外して、遊技盤固定具１４を解除操作するだけで簡単に遊技盤５を遊技盤取付枠４から取外すことができる。そして、新しい遊技盤５を遊技盤取付枠４の後方から収納して遊技盤固定具１４を操作して遊技盤５を固定し、配線Ｈを機構板２７側の配線Ｈと接続させるだけで簡単に装着することができるという優れた効果を奏する。
【００２３】
また、機枠１に機構板２７及び樋基板５５を装着することで、前面枠２のヒンジ具３にかかる負荷が軽減され、前面枠２の開閉動作をスムーズに行うことができる。さらに、機構板２７のほぼ平坦面に形成された後側壁２７ｃの前面側に球タンク３４，球誘導樋３５，球払出装置２８を設けるようにしたので、パチンコ機の裏面側は箱状の機構板２７が表出するだけで凹凸がなくすっきりさせることができる。そのため、パチンコ機の運搬時等に凹凸により怪我をすることがなく、しかも従来のように機構板２７の裏面に露出した配線を引掛けて断線させたり、基板ボックス等をぶつけて破損させたりするようなことはない。さらに、基板ボックス３７，３８が機構板２７の前面に設けられ、樋基板５５の間に位置することになるため、前面枠２を開放しても樋基板５５に隠れて直接基板ボックス３７，３８に触れることができず、回路基板を改造する不正行為が簡単に行われることはない。また、裏機構部品として球タンク３４，球誘導樋３５，球払出装置２８を実施例で説明したが、球抜き装置等の他の裏機構部品を全て機構板２７の前面に取付けるようにすることで、機構板２７への組付けの作業性が大幅に向上させることができる。
【００２４】
また、球タンク３４等の裏機構部品は実施例のものに限定されるものではなく、例えば球タンク３４の球導出口３９を２条分の開口としたが、球導出口３９を長孔状の１条開口としてもよく、それに伴って球誘導樋３５も１条通路とすればよい。球誘導樋３５を１条通路とすることで、当然のことながら球誘導樋３５は薄く嵩張らず、収容空間３３をより広くすることができる。このとき、球払出装置２８も１条用の球払出装置２８を設けるようにすればよい。また、球タンク３４の球導出口３９を単に１条開口とするだけでは、球圧が一気に幅の狭い球導出口３９にかかりバランスがとれて球詰りを起こすため、図８に示すように球導出口３９の上方に位置し該球導出口３９を覆うように三角柱状のガイド部材６６を設けるのが好ましい。ガイド部材６６は、上面を後面壁３４ａに向って上向き約４５°の傾斜の球逃し面６６ａとして形成し、下面を球導出口３９に向って約２０°の緩やかな角度で下傾する誘導面６６ｂとして形成している。なお、球導出口３９の奥行開口幅は遊技球の直径より大きく且つ直径の２倍より小さく設定され、誘導面６６ｂの内方端部の底部３４ｃからの高さは、遊技球の直径より高く且つ直径の２倍より低く設定される。そのため、球タンク３４に貯留される遊技球は、底部３４ｃに位置する遊技球が球導出口３９から直接流出し、２段目に位置する遊技球は誘導面６６ｂの傾斜により底部３４ｃの遊技球間に押し込まれるように球導出口３９から流出する。また、それより上段の遊技球は球逃し面６６ａによって上方に分離移動し、球導出口３９にかかる球圧が分散するため球導出口３９から遊技球がスムーズに流出することになる。なお、球逃し面６６ａ及び誘導面６６ｂは必ずしも平面に限定されるものではなく、緩やかな凸曲面又は凹曲面であってもよい。さらに、球タンク３４は球誘導樋３５と別体に形成したものに限定されるものではなく、球タンク３４に球誘導樋３５の整流機能を備えて一体に形成されたものであってもよく、さらに球払出装置２８が直接設けられたものであってもよい。
【００２５】
なお、実施例において、機構板２７を後方に膨出した箱状に形成したが、球タンク３４，球誘導樋３５，球払出装置２８が設けられる箱状部を別体に形成し、枠状の機構板２７に該箱状部を開閉又は着脱自在に設けるようにしてもよい。また、樋基板５５を機構板２７と別体に形成してそれぞれを機枠１に装着するようにしたが、樋基板５５に設けた球集合樋５７及び球排出樋５４を機構板２７に設けるようにしてもよい。このとき、球集合樋５７及び球排出樋５４は遊技盤５から直接遊技球を受入れたり導いたりするため、遊技盤５側に位置するように設けられ、前面枠２を閉鎖したときに球集合樋５７及び球排出樋５４が遊技盤５と接触状となるのがよい。このため、機構板２７の下方側は前面側に段状に凹窪させて、機構板２７の前面に球集合樋５７及び球排出樋５４が設けられる。このとき、基板ボックス３７，３８は、機構板２７の後面の凹窪部に位置して設けるようにすればよい。また、機構板２７の形状及び大きさは限定されるものではなく、平板状であっても、球タンク３４，球誘導樋３５，球払出装置２８が設けられる部分だけの大きさであってもよい。つまり、機構板２７の少なくとも一部分が遊技盤５と所定間隔を隔てるように機枠１の内側に取着され、その間隔内に位置して機構板２７の前面に球タンク３４，球誘導樋３５，球払出装置２８等の裏機構部品を取付けるようにすればよい。
【００２６】
また、実施例において、球タンク３４を機枠１の内側に設けた機構板２７の前面上方に設けるようにしたが、取付け位置は限定されることなく、図９に示すようにアウト球排出口２３より下方に位置して球タンク３４を設けるようにしてもよい。つまり、球タンク３４はアウト球排出口２３より下方であり上部球受皿７より上方に位置して設けられている。そして、球タンク３４をアウト球排出口２３より下方に位置して設けることにより、遊技盤５に打ち込まれた遊技球を入賞球又はアウト球として、球タンク３４に直接回収することができる。この実施例では、球タンク３４の横幅をほぼ遊技盤５と同幅に形成しており、球タンク３４の貯留量を増量すると共に、入賞球が遊技盤５の裏面からそのまま下方に落下しても、球タンク３４に受入れられるようになり、入賞球を球タンク３４に導く誘導樋部材２４を設けることなく入賞球を球タンク３４に回収することができる。また、球タンク３４の下方には球誘導樋３５の直線誘導樋３５ａを介して球払出装置２８が設けられ、球払出装置２８で払出された遊技球を球流出口５３から上部球受皿７に導くようにしている。この球払出装置２８は、遊技球の荷重により回転する払出回転体５８と該払出回転体５８の回転を制御する制御手段５９とを備えて構成している。制御手段５９は、払出回転体５８の側方に所定間隔で設けられる立壁に係合する作動体６０と、作動体６０を駆動するソレノイド６１とを備えている。この球払出装置２８は、ソレノイド６１を励磁することにより作動体６０と立壁との係合が解除され、払出回転体５８が遊技球の荷重により回転し、所定個数の遊技球がセンサ６７により検知されると、ソレノイド６１が消磁して作動体６０が立壁に係合して払出回転体５８の回転を制御する。また、この実施例において機構板２７は機枠１に対して上下一対のヒンジ５６により回動自在に蝶着されている。この一対のヒンジ５６は、それぞれ別体に形成することなく補強板を介して一体に設け、ヒンジ５６の位置決め及び取付けを容易にするのが好ましい。さらに、補強板を機構板２７の表面側に屈曲させ、機構板２７の開放時に機構板２７が撓まないように補強するのがよい。また、補強板に沿って配線収納部を形成し、基板ボックス３７，３８等の配線Ｈを配線収納部に収納し、軸支側に配線Ｈを収束させるのが好ましい。
【００２７】
上記構成のパチンコ機は、上部球受皿７の遊技球が発射装置１３により遊技領域５ａに発射され、遊技球が入賞口１８，１９，２０に入賞して入賞球として遊技盤５の裏面に導かれるか、アウト球としてアウト球排出口２３から遊技盤５の裏面に導かれ、誘導樋部材２４を介して球タンク３４に回収されることになる。そして、入賞口１８，１９，２０に入賞した入賞球に対して球払出装置２８を作動させ、所定個数の賞球が球流出口５３から上部球受皿７に払出される。
【００２８】
このように、球タンク３４を機枠１の内側に設けた機構板２７の前面であり且つ上部球受皿７の高さ近くまで下げて設けるようにすることで、前記実施例と同様に前面枠２の開閉及び球詰りの解除操作を容易にすると共に、機構板２７が下方に集約され遊技盤５の裏面を束縛するものがなくなるため、遊技盤５に設けられる役物等の設計が自由に変更でき中央役物等の大型化に対応することができ、遊技の興趣を高めるのに寄与することができる。また、遊技領域５ａに打ち込まれた入賞球及びアウト球を球タンク３４に全て回収するようにしたので、従来のようにアウト球や入賞球を機外に排出して球研磨装置を頻繁に稼働させて、パチンコ機の上方の補給経路に導くことがないため、電気代等の経費を大幅に削減することができる。また、球タンク３４には、球タンク３４の遊技球の貯留量を一定とするために、補給経路から遊技球を供給する補給手段６２と余分な遊技球を機外に排出する排出手段６３を設けている。排出手段６３は、球タンク３４の上流側に遊技球約１個分の高さのリブ壁により囲まれた溢出口６４が開設されており、球タンク３４の遊技球の貯留量が所定量以上となったとき、球タンク３４に流入した遊技球は余剰球としてリブ壁を越えて溢出口６４から溢出口６４の下方に設けられた放出樋６５を介して機外に排出される。
【００２９】
なお、実施例においてパチンコ遊技機をパチンコ機として説明したが、ここでいう「パチンコ遊技機」とはパチンコ球を使用して遊技する遊技機であり、パチンコ球を盤面に打ち込むことにより遊技するパチンコ機の他にアレンジボール機，雀球遊技機等がある。さらに、パチンコ球を賭球として回収し図柄表示した回転体の回転を任意で停止させ、その停止図柄によって所定個数の賞球を払出す所謂「パロット」といわれる回胴式遊技機にも適用可能である。
【図面の簡単な説明】
【００３０】
【図１】パチンコ機の正面図である。
【図２】パチンコ機の裏面図である。
【図３】前面枠を開放した状態の斜視図である。
【図４】機構板の斜視図である。
【図５】パチンコ機の平面断面図である。
【図６】球払出装置の斜視図である。
【図７】（イ），（ロ）は球タンクの取付けを示す分解斜視図である。
【図８】他の実施例の球タンクの側断面図である。
【図９】他の実施例の機構板の正面図である。
【符号の説明】
【００３１】
１          機枠
２          前面枠
３          ヒンジ具
５          遊技盤
７          上部球受皿（球受皿）
８          下部球受皿（球受皿）
２６        コネクタ
２７        機構板
２８        球払出装置
３４        球タンク
３４ｂ      前面壁
５４        球排出樋
５５        樋基板
５７        球集合樋
Ｈ          配線
【図１】
2006043290.tif 000003
【図２】
2006043290.tif 000004
【図３】
2006043290.tif 000005
【図４】
2006043290.tif 000006
【図５】
2006043290.tif 000007
【図６】
2006043290.tif 000008
【図７】
2006043290.tif 000009
【図８】
2006043290.tif 000010
【図９】
2006043290.tif 000011